(57)【要約】  遮蔽された差込みコネクタ（１）及び遮蔽された差込みコネクタ（１）を製造する方法であって、該差込みコネクタ（１）は、遮蔽スリーブ（９）により取り囲まれたコンタクト支持体（３）を含む構成群を有しており、前記コンタクト支持体（３）内には、遮蔽メッシュ（７）を有するケーブル（２）の電気的な導体（６）の端部に結合されたコンタクトパートナー（８）が配置されており、前記遮蔽スリーブ（９）と、前記ケーブル（２）の一方の端部から延びている遮蔽シェル（１０）とによって形成された遮蔽ケーシング（５）が、前記ケーブル（２）の前記端部から、前記コンタクト支持体（３）まで延在している差込みコネクタ（１）において、前記遮蔽シェル（１０）は、一体的に形成されており且つプレス嵌めで前記ケーブル（２）に固定されている。
2014535144.tif 000002
【特許請求の範囲】
【請求項１】
遮蔽された差込みコネクタ（１）であって、遮蔽スリーブ（９）により取り囲まれたコンタクト支持体（３）を含む構成群を有しており、前記コンタクト支持体（３）内には、遮蔽メッシュ（７）を有するケーブル（２）の電気的な導体（６）の端部に結合されたコンタクトパートナー（８）が配置されており、前記遮蔽スリーブ（９）と、前記ケーブル（２）の一方の端部から延びている遮蔽シェル（１０）とによって形成された遮蔽ケーシング（５）が、前記ケーブル（２）の前記端部から、前記コンタクト支持体（３）まで延在しているものにおいて、
前記遮蔽シェル（１０）は、一体的に形成されていることを特徴とする、遮蔽された差込みコネクタ。
【請求項２】
前記遮蔽シェル（１０）は、スリット（１３）を有している、請求項１記載の遮蔽された差込みコネクタ。
【請求項３】
前記遮蔽シェル（１０）の前記スリット（１３）の領域を同軸的に取り囲むように、クリンプスリーブ（１１）が配置されている、請求項２記載の遮蔽された差込みコネクタ。
【請求項４】
前記遮蔽メッシュ（７）は、前記遮蔽シェル（１０）の内側及び／又は前記遮蔽シェル（１０）の外側に接触している、請求項１から３までのいずれか１項記載の遮蔽された差込みコネクタ。
【請求項５】
前記遮蔽シェル（１０）は、該遮蔽シェル（１０）が前記遮蔽スリーブ（９）を取り囲んでいる領域内に、少なくとも１つの突出部（１４）を有している、請求項１から４までのいずれか１項記載の遮蔽された差込みコネクタ。
【請求項６】
前記遮蔽シェル（１０）の周面にわたって配分された、複数の突出部（１４）が設けられている、請求項５記載の遮蔽された差込みコネクタ。
【請求項７】
少なくとも前記遮蔽シェル（１０）の外側表面及び／又は内側に、ホットメルト接着剤（１５）が配置されている、請求項１から６までのいずれか１項記載の遮蔽された差込みコネクタ。
【請求項８】
少なくとも前記遮蔽シェル（１０）は、少なくともその外側表面を、外装射出成形部（１６）によって取り囲まれている、請求項１から７までのいずれか１項記載の遮蔽された差込みコネクタ。
【請求項９】
遮蔽された差込みコネクタ（１）を製造する方法であって、該差込みコネクタ（１）は、遮蔽スリーブ（９）により取り囲まれたコンタクト支持体（３）を含む構成群を有しており、前記コンタクト支持体（３）内には、遮蔽メッシュ（７）を有するケーブル（２）の電気的な導体（６）の端部に結合されたコンタクトパートナー（８）が配置されており、前記遮蔽スリーブ（９）と、前記ケーブル（２）の一方の端部から延びている遮蔽シェル（１０）とによって形成された遮蔽ケーシング（５）が、前記ケーブル（２）の前記端部から、前記コンタクト支持体（３）まで延在している差込みコネクタ（１）を製造する方法において、
前記遮蔽スリーブ（９）の一方の端部領域と、前記ケーブル（２）の一方の端部領域との間に、一体的に形成された遮蔽シェル（１０）を配置して、該遮蔽シェル（１０）の内側及び／又は外側に接触する、前記ケーブル（２）の前記遮蔽メッシュ（７）に、前記遮蔽シェル（１０）を固定することを特徴とする、遮蔽された差込みコネクタ（１）を製造する方法。
【請求項１０】
前記遮蔽シェル（１０）に設けられたスリット（１３）を圧縮し、これにより、前記遮蔽シェル（１０）のこの領域が、位置固定された状態で前記ケーブル（２）の端部を取り囲み且つ／又は電気的に接触接続された状態で前記遮蔽メッシュ（７）を取り囲むようにし、且つ／又は前記スリット（１３）の圧縮後に、前記遮蔽メッシュ（７）が前記遮蔽シェル（１０）の外側を取り囲んでから、前記遮蔽メッシュ（７）をクリンプスリーブ（１１）により同軸的に位置固定し且つ電気的に接触接続させるように取り囲む、請求項９記載の方法。
【発明の詳細な説明】
【技術分野】
【０００１】
本発明は、それぞれ独立請求項の上位概念に記載の遮蔽された差込みコネクタ並びに遮蔽された差込みコネクタを製造する方法に関する。
【０００２】
前記上位概念を形成するＤＥ１０２００６０１２１９４Ａ１から公知の、遮蔽された差込みコネクタ（この場合はＬ型構造）は、遮蔽スリーブによって取り囲まれたコンタクト支持体を含む構成群を有しており、コンタクト支持体の内部には、遮蔽メッシュを有するケーブルの複数の電気的な導体の端部に結合された、複数のコンタクトパートナーが配置されており、この場合、遮蔽スリーブと、ケーブルの一方の端部から延びる遮蔽シェルとによって形成される遮蔽ケーシングが、ケーブルの前記端部からコンタクト支持体まで延在している。このような遮蔽された差込みコネクタにより、ケーブルの電気的な導体と、これらの導体の端部に結合されたコンタクトパートナーとを介して、信号、特に高周波信号を伝達することが可能になる。差込みコネクタを、対応差込みコネクタに嵌め合わせる場合には、差込みコネクタのコンタクトパートナーと、対応する対応差込みコネクタのコンタクトパートナーとを嵌め合わせることだけが必要とされているのではなく、伝達される信号の、電波障害に対する遮蔽が一貫して生ぜしめられていることも保証されていなければならない。同時に、ケーブルに沿って、且つまた差込み接続領域内でも一貫して遮蔽することにより、電気的な導体から高周波信号が外部に放射されることが阻止される、ということを保障する必要がある。この目的のために、前記上位概念を形成する従来技術では、自体公知の形式で遮蔽メッシュ等を有しているケーブルの端部に、差込みコネクタが配置されている。この差込みコネクタは、コンタクト支持体を有していて、このコンタクト支持体自体は、コンタクトパートナーが配置されたコンタクト室を有している。コンタクト支持体は、非導電性の材料（例えばプラスチック等）から成っているので、コンタクト支持体は、遮蔽物によって取り囲む必要がある。この場合、ケーブルの端部からコンタクト支持体まで、場合によってはローレット目付きナット等まで延在している遮蔽ケーシングは、複数の部分から成っている。つまり、導電性の材料から成る遮蔽スリーブが、コンタクト支持体を軸方向に見て同軸的に覆うようにして配置されている。この遮蔽スリーブは、例えば押さえねじ又はローレット目付きナット等の接続部材と導電接続している。この接続部材によって、差込みコネクタが対応差込みコネクタに嵌め合わされた場合に、差込みコネクタが当該接続部材を介して、対応差込みコネクタの対応する接続部材に、（差込み部の分離を回避するために）機械的に位置固定されると同時に、電気的に接触接続されることが保証される。この電気的な接触接続の結果、遮蔽は差込み接続部を越えても生ぜしめられていることが保障される。
【０００３】
更に、前記上位概念を形成する従来技術において、遮蔽ケーシングは、遮蔽スリーブだけでなく、別の遮蔽シェルをも有しており、この場合、この別の遮蔽シェルは、２つの遮蔽シェル半部の形態で形成されている。遮蔽スリーブは、円筒壁と、フランジとを有しており、このフランジでもって遮蔽スリーブは、コネクタ挿入部に押さえねじで保持される。更に遮蔽スリーブは、溝を有しており、この溝には遮蔽ケーシングの遮蔽シェル半部が、対応する継ぎ目でもって係合する。これらの遮蔽シェル半部の正しい整合を保証するためには、更に複数のストッパが設けられている。遮蔽シェル半部は、ホットメルト接着剤を噴射するための各１つの開口を有している。更に遮蔽シェル半部は、それぞれピンを有しており、これらのピンは、所属のシェル半部に設けられた、対応する穴に係合する。寸法は、遮蔽シェル半部を組み立てる際にプレス嵌めが行われるように、設定されている。
【０００４】
遮蔽シェルの、２つの構成部材としての前記構成を製造するには、特に手間がかかる。それというのも、互いに結合されるべき両遮蔽シェル半部は、複雑な幾何学形状を有しているからである。更に、ホットメルト接着剤を遮蔽シェルの内部に導入せねばならない開口は、高周波の観点から見て欠点である。それというのも、これらの開口は遮蔽を一切形成しないからである。その結果、妨害信号が、前記開口を介して差込みコネクタの内部に侵入するか、又は外部に向かって出て行くことになる。よって、要求される高周波シール（シールド若しくは遮蔽）は、満足のいくように保証されてはいない。
【０００５】
したがって本発明の根底を成す課題は、冒頭で述べた欠点を回避する、遮蔽された差込みコネクタ及びこのような遮蔽された差込みコネクタを製造する方法を提供することにある。特に、従来技術に比べて改善された遮蔽作用が生ぜしめられていることが保障されていると同時に、差込みコネクタの製造も簡略化され、且つ部品の種類も減らされることが望ましい。
【０００６】
遮蔽された差込みコネクタの構造に関して前記課題を解決するために、本発明では、遮蔽ケーシング若しくは遮蔽シェルが一体的に形成されている。この遮蔽ケーシングは、特にプレス嵌めでケーブルに固定されている。つまり、従来技術では遮蔽スリーブと、２つの遮蔽ケーシング半部とによって形成される遮蔽ケーシングが、遮蔽スリーブと、一体的に形成された遮蔽シェルとによって代替される。このことは、部品の種類が減らされる、という利点を有している。更に、一体的に形成された遮蔽シェルは、好適にはホットメルト接着剤等を供給するための開口を一切有していないので、構成群（遮蔽スリーブ、コンタクト支持体、接続部材等）を挿入するために必要とされる開口だけが存在することになる。遮蔽ケーシングは別の開口を有していないので、遮蔽ケーシングは、ケーブルの端部領域とコンタクト支持体とが配置されている内部領域を、高周波に対して完全にシールしている。充填材料（ホットメルト接着剤等）を供給するために別の開口が設けられていることが望ましい場合、この開口は、高周波シールドが保障されている程度の小ささに選択されている。これにより、差込みコネクタに妨害電波が外部から侵入することは一切できなくなる、ということが有利に保証され、且つ高周波信号が差込みコネクタから外部に放射されることも阻止される。更に、特に一体的に形成された遮蔽シェルはプレス嵌めでケーブルに固定されているので、これにより取付けが著しく簡略化されることになる。それというのも、ケーブルに遮蔽ケーシングを固定すると同時に、ケーブルの遮蔽メッシュも接触接続され、且つ同時に引っ張り力の軽減が実現されるからである。
【０００７】
本発明の改良において、遮蔽ケーシング若しくは遮蔽シェルは、スリットを有している。このスリットを介して、ケーブルを含む前記構成群を遮蔽ケーシングに挿入し、且つ当該スリットを取り囲む遮蔽ケーシングの領域を圧縮することが可能であり、これにより、プレス嵌めが実現され、この場合、圧縮されたスリットの領域には、ケーブルの端部が配置されているか、又はケーブルの遮蔽メッシュの準備された端部領域も配置されている。
【０００８】
本発明の改良において、遮蔽ケーシング若しくは遮蔽シェルのスリットの領域には、同軸的に取り囲むようにして、クリンプスリーブが配置されている。このクリンプスリーブによって、遮蔽ケーシングの、スリットが存在している領域は、遮蔽メッシュに接触接続させられる。更にクリンプスリーブは、該クリンプスリーブが導電性材料から成っている場合には、遮蔽ケーシングの不変のままで残されたスリットが、高周波に対して閉鎖される、という利点を有している。このことは、圧縮後にスリットがまだ僅かに存在していることが望ましい場合についても当てはまり、残留ギャップを閉鎖することにより、高周波シールドが更に改善される。更に、クリンプスリーブの配置及び圧縮には、更なる組立簡略化をも伴う。それというのも、前記構成群が遮蔽ケーシングに挿入され、且つスリットはまだ圧縮されていない場合に、クリンプスリーブを、まだ圧縮されていないスリットに被せ嵌めて、両者を同時に圧縮することができるからである。
【０００９】
本発明の改良において、遮蔽メッシュは、遮蔽ケーシング若しくは遮蔽シェルの内側及び／又は遮蔽ケーシングの外側に接触している。これにより、遮蔽メッシュを電気的且つ機械的に遮蔽ケーシングに接続する複数の可能性が供与されている。つまり、クリンプスリーブが付加的に使用される場合は、遮蔽メッシュが有利には外側に接触している。クリンプスリーブの圧縮により、遮蔽メッシュはクリンプスリーブと共に、遮蔽ケーシングの外側に接触するように押し当てられて、その位置を機械的に固定されると同時に、この過程において電気的に接触接続される。これに対して択一的又は補足的に、遮蔽メッシュは、遮蔽ケーシングの内側に接触してもよい。この場合、例えばケーブルの端部を、遮蔽メッシュが露出されてケーブル外装の残留端部の方向に折り曲げられているように準備し、そこに遮蔽ケーシングの一方の端部領域、特にスリットを備える領域を配置して圧縮する。この場合もクリンプスリーブを使用してよいが、必須ではない。前記両ケースでは、遮蔽メッシュを遮蔽ケーシングに接続するための、組立技術的に極めて簡単なバリエーションが供与されている。実地との関連性は低いが、遮蔽メッシュが遮蔽ケーシングの内側と外側の両方に接触するように、遮蔽メッシュを準備し且つ組立過程を実施することも考えられる。これに関連して言及しておくと、「遮蔽メッシュ」とは、ケーブル、特に同軸ケーブルの遮蔽物のあらゆるバリエーションを意味するものである。即ち、ケーブルの少なくとも１つの、しばしば複数の内部導体を取り囲んでおり且つケーブル外装の下側に同軸的に配置されている遮蔽物は、必ずしもメッシュとして形成されているのではなく、他の形態で形成されていてもよい。
【００１０】
本発明の改良において、遮蔽シェルは、該遮蔽シェルが遮蔽スリーブを取り囲んでいる領域内に、少なくとも１つの突出部を有している。特に有利には、遮蔽シェルの周面にわたって配分された複数の突出部が設けられている。好適にはリブとして形成されているこれらの突出部によって、遮蔽スリーブの圧入時に、遮蔽スリーブ（より正確には遮蔽スリーブの表面）と、一体的な遮蔽シェル（より正確には遮蔽シェルの内側表面）との間に、複数の規定されたコンタクト箇所が生ぜしめられることになる。
【００１１】
本発明の改良において、少なくとも遮蔽シェルの外側表面及び／又は遮蔽シェルの内側には、ホットメルト接着剤が配置されている。これにより、機械的に安定した結合が、ケーブルの端部と、コンタクト支持体と、（遮蔽シェルと遮蔽スリーブとから形成された）遮蔽ケーシングとの間で得られる。遮蔽ケーシングの内部の中空室にホットメルト接着剤を充填することにより、遮蔽された差込みコネクタの内部領域の、遮蔽ケーシングの金属の構成部材間に水等が侵入することを阻止する、媒体密な結合が生ぜしめられる。この場合はホットメルト接着剤を充填することにより、特に差込みコネクタの長手方向での防水性が生ぜしめられている。
【００１２】
本発明の改良において、少なくとも遮蔽シェルは、少なくともその外側表面を、外装射出成形部によって取り囲まれている。差込みコネクタを取り囲んで射出成形を行うことにより、（場合によってはケーブルの一部に被さるようにして）ケーブルの端部から、対応差込みコネクタ用の接続部材（ローレット目付きナット、キャップナット等）の方向に延在するケーシングが得られる。このことは、簡単に自動化して１つのプラスチック射出成形過程で行うことができ、この場合は、予め組み立てられた差込みコネクタを射出成形型に入れ、次いでプラスチックからケーシングを射出成形する。この場合、接続部材は依然として、未だ遮蔽スリーブを巡って自由に運動可能に回動することができる、ということが保障されていなければならない。
【００１３】
遮蔽された差込みコネクタを製造する方法に関して本発明では、遮蔽スリーブの一方の端部領域と、ケーブルの一方の端部領域との間に、一体的に形成された遮蔽シェルを配置して、遮蔽ケーシング若しくは遮蔽シェルの内側に接触するケーブルの遮蔽メッシュに、プレス嵌めで固定する。既に述べたように、一体的に形成された遮蔽シェルによって、部品の種類が減らされ且つ組立が簡略化される。それというのも、組立に際して１つの部品を取り扱うだけで済むからである。この１つの部品が有する利点は、ケーブルの端部に配置された、準備された構成群を、一体的に形成された遮蔽シェルに挿入し、この遮蔽シェルを圧縮しさえすれば、プレス嵌め状態が得られる、という点にある。圧縮により、遮蔽シェルはケーブルの端部に固定されると同時に、ケーブルの遮蔽メッシュに電気的に接触接続されることになる。
【００１４】
本発明の改良において、方法に関しては、遮蔽シェルに設けられたスリットを圧縮することを想定しており、その結果、遮蔽シェルのこの領域は位置固定された状態で、ケーブルの端部を取り囲むことになる。これにより、スリットが配置されている遮蔽シェルの領域が、ケーブルの外装上で固定されるようになっており、この場合、遮蔽メッシュを遮蔽ケーシング、特に遮蔽ケーシングの遮蔽スリーブ又は遮蔽シェルにおいて電気的に接触接続させるためには、別の手段が必要とされている。これに対して択一的又は補足的に、スリットが位置する遮蔽シェルの領域が、電気的に接触接続もするように、遮蔽メッシュを取り囲むことが想定されている。つまり、遮蔽シェルを機械的にケーブルに位置固定する一方で、遮蔽ケーシングを遮蔽メッシュに電気的に接触接続させるためには、２つのステップが必要とされている。しかしながら好適には、１つのステップで実施される。やはり択一的又は補足的に、スリットの圧縮後に、遮蔽メッシュが遮蔽シェルの外側を取り囲み、次いでクリンプスリーブにより同軸的に位置固定し且つ電気的に接触接続するように取り囲まれることが想定されている。つまり、クリンプスリーブによって付加的に、スリットを（圧縮後も小さなギャップを有していることが望ましい場合は）高周波に対してシールすることが可能であり、この場合はクリンプスリーブによっても、遮蔽メッシュは遮蔽シェルに位置固定されるように且つ電気的に接触接続されるように固定される。この場合、この目的のために、遮蔽メッシュはクリンプスリーブの内側と、スリットの領域の遮蔽シェルの外側との間に同軸的に、場合によっては被さるように、位置している。
【図面の簡単な説明】
【００１５】
【図１】差込みコネクタの原理図である。
【図２】ケーブルの端部に配置された構成群の複数の要素の平面図（左側）と断面図（右側）である。
【図３】図２に示した組立段階の次の組立段階を示す図である。
【図４】遮蔽シェルの全体と詳細とを示す図である。
【図５】図２において準備された構成群が遮蔽シェルに挿入されている差込みコネクタの断面図である。
【図６】遮蔽シェルの内側領域が、ケーブルの端部領域の一部を覆って係合するように、ホットメルト接着剤を有していることを示す図である。
【図７】外装射出成形部を示す図である。
【図８】本発明による差込みコネクタの別の重要な構成を示す図である。
【図９】本発明による差込みコネクタの更に別の重要な構成を示す図である。
【図１０】本発明による差込みコネクタの更に別の重要な構成を示す図である。
【図１１】本発明による差込みコネクタの更に別の重要な構成を示す図である。
【図１２】完成した差込みコネクタの断面図である。
【図１３】図４又は図８に示した遮蔽シェルを詳細に示した図である。
【図１４】上部図面は、完成した差込みコネクタを立体的に示す図であり、下部左側の図面は、差込みコネクタの差込み面を上から見た図であり、下部右側の図面は、差込みコネクタの断面図である。
【００１６】
以下に、遮蔽された差込みコネクタの実施形態、並びにその製造方法を図面につき説明する。
【００１７】
図１には原理図として、ここではＬ型差込みコネクタとして形成されている、差込みコネクタ１の典型的な構造が示されている。その他に直線的な構造も考えられる。差込みコネクタ１は、ケーブル２の端部に配置されていて、コンタクト支持体３と、対応差込みコネクタ（図示せず）に対する接続部材とを有している。この接続部材は、ローレット目付きナット４、押さえねじ等として形成されている。好適には、差込みコネクタ１は丸型構造で構成されているが、他の構造も排除されてはいない。連続した遮蔽を得るために、差込みコネクタ１は、以下に説明する遮蔽ケーシング５を有している。この場合、ケーブル２は、データ信号を伝達する１つ又は複数の電気的な導体を備えたデータケーブルである。ケーブル２に入射する電波による電波障害又はケーブル２から出射する電波による電波障害を回避するために、ケーブル２は遮蔽部を有している。この場合、基本的に重要なのは、この遮蔽部が、遮蔽ケーシング５と電気的に接触接続される点である。差込みコネクタ１が、対応差込みコネクタ（図示せず）に接続された場合に、遮蔽ケーシング５と、この遮蔽ケーシング５に同様に電気的に接触接続された、必然的にやはり導電性材料から成る接続部材とを介して、遮蔽が連続的に実現されているということが保証される。この場合、対応差込みコネクタも同様に、相応する遮蔽ケーシングと、データケーブルとを有しており、データケーブル自体もやはり遮蔽メッシュを有していることは自明である。差込みコネクタ１は、前記対応差込みコネクタの代わりに、例えばプリント基板上の対応差込みコネクタ又は制御装置等のケーシングから外側に突出している対応差込みコネクタにも接続させることができる。
【００１８】
図２には、ケーブル２の端部に配置された構成群の複数の要素が、平面図（左側）と断面図（右側）とで示されている。この場合、前記要素は、ケーブル２の内部に配置されている、複数の電気的な導体６である。ケーブル２の遮蔽メッシュには、符号７が付されている。更に、１つ又は複数のコンタクトパートナー８が、非導電性材料（例えばプラスチック）から成るコンタクト支持体３内の、相応するコンタクト室内に配置されている。更に、コンタクト支持体３を少なくとも部分的に同軸的に取り囲む遮蔽スリーブ９が設けられていて、この遮蔽スリーブ９は、（従来技術と同様に）遮蔽ケーシング５の構成部材である。つまり、差込みコネクタ１を引き続き製造するために、図２に示した様な構成群が準備される。即ち、電気的な導体６の端部にコンタクトパートナー８を、例えばろう接又は圧着等で結合し、且つコンタクトパートナー８を、コンタクト支持体３に属するコンタクト室に挿入する。更に、ローレット目付きナット４を遮蔽スリーブ９と作用結合させるが、その際に、ローレット目付きナット４は未だ遮蔽スリーブ９を中心として回転可能である、ということが保証されていなければならない。更に、ケーブル２の端部側で、遮蔽メッシュ７の一部が露出されていて、延いては引き続く接触接続のためにアプローチ可能であるように準備する。電気的な導体６とコンタクトパートナー８との間の接続に関しては、更に以下で述べる。ケーブル２の電気的な導体６が、コンタクト支持体３の領域内にまで直接に案内されていて、そこで所属のコンタクトパートナー８に接続されている構成が考えられる。これに対して択一的に考えられるのは、電気的な導体６が、ケーブル２の端部の直後で終わっており、そこにはそれ自体がコンタクトパートナー８に通じている、別の電気的な複数の導体が配置されている構成である。この変化態様では、コンタクトパートナー８が一方ではコンタクト支持体３の端面の方向での接触接続を可能にし、且つ別の方向へは、ケーブル２の電気的な導体６の端部に到るまで一体的に案内され、そこで接触接続されるように、コンタクトパートナー８が形成されていることも考えられる。
【００１９】
図３には、次の組立段階が示されており、図２において準備した構成群が、一体的に形成された遮蔽シェル１０に挿入される。この場合、遮蔽メッシュ７は、遮蔽シェル１０の（図３で見て）下向きの端部と、特に電気的に接触接続するように作用結合させられるように準備されたことが認識可能である。同時に遮蔽シェル１０は、遮蔽スリーブ９の一方の端部に接続され、この際に両構成部材、つまり遮蔽スリーブ９と遮蔽シェル１０とは、完全な遮蔽ケーシング５（図１参照）を形成する。内部に準備した構成群が位置している遮蔽スリーブ９と、一体的に形成された遮蔽シェル１０との協働に基づき、概ね完全な遮蔽が得られる。この遮蔽は特に、一体的に形成された遮蔽シェル１０の一方の端部が、遮蔽メッシュ７に接続されるために得られ、この場合、一体的に形成された遮蔽シェル１０の他方の端部は、遮蔽スリーブ９の一方の端部に接続されている。遮蔽スリーブ９の他方の端部は、コンタクト支持体３の端面側の端部の方向に向いているが、前記端面にまでは達していない。遮蔽スリーブ９によって包囲されていないコンタクト支持体３の領域をも高周波に対して遮蔽するためには、接続部材、ここでは特にローレット目付きナット４が設けられており、このローレット目付きナット４は、ギャップを介した状態でコンタクト支持体３を同軸的に取り囲んでいる。前記ギャップは、接続部材（特にローレット目付きナット４）と作用結合させるべき、対応差込みコネクタの対応する接続部材を装着するために適しているように形成されている。これにより、差込みコネクタ１と対応差込みコネクタとから成る、このような組み立てられた差込み接続部の完全な遮蔽が実現されている。更に図３には、ケーブル２を同軸的に取り囲んでいるクリンプスリーブ１１が示されている。このクリンプスリーブ１１は、設けられていてよいが、必須ではない。クリンプスリーブ１１は、図３ではその取付け前位置で示されている。クリンプスリーブ１１の取付け及び最終位置については更に説明する。
【００２０】
図４には、一体的に形成された遮蔽シェル１０が再度、全体図と詳細図（細部Ｄ）とで示されている。この場合、遮蔽シェル１０は開口１２を有していることが認識可能であり、この開口１２は、図２に示したように準備された構成群、特に遮蔽スリーブ９の一方の端部を収容するために適しているように形成されている。更に、スリット１３が設けられていて、このスリット１３は、遮蔽シェル１０の、開口１２とは反対側の部分に配置されている。この場合、スリット１３の幅は、図２に示したように準備された構成群、特にケーブル２の端部領域（又は択一的にケーブル２の端部領域を起点とする、電気的な導体６を備えた領域）が、スリット１３を通って挿入され得るように選択されている。更に図４では、遮蔽スリーブ９の端部領域と作用結合状態にもたらされるべき遮蔽シェル１０の内側領域が、少なくとも１つの突出部、好適には周面にわたって配分された複数の突出部１４を有していることが認識可能である。特にリブとして形成された、これらの突出部１４に基づいて、遮蔽スリーブ９を、遮蔽シェル１０の開口１２が位置する側の所属の端部領域に圧入した場合には、遮蔽スリーブ９の表面と、遮蔽シェル１０の内部領域との間に、複数の規定された接触箇所が生ぜしめられることになる。これにより、連続的な遮蔽を実現する、高い接触確実性が保証されている。
【００２１】
図５は、図２に示すように準備された構成群が遮蔽シェル１０に挿入されている差込みコネクタ１を断面図として示しており、この場合、遮蔽スリーブ９は、遮蔽シェル１０の内部に位置固定されて配置され、例えば加圧されている。図５で見て下側の部分において、遮蔽シェル１０は、ケーブル２に、より正確にはケーブル２の構成部材である遮蔽メッシュ７に、プレス嵌めで固定されている。この変化態様において、遮蔽メッシュ７は、遮蔽シェル１０の外側表面と、クリンプスリーブ１１の内側領域とに接して位置している。つまりこの場合、クリンプスリーブ１１は、一方では加圧後のスリット１３を、（未だギャップが残されている限り）付加的にシールし、且つ他方では遮蔽メッシュ７を、遮蔽シェル１０の表面上に位置固定すると同時に、電気的に接触接続させるために使用される。択一的な変化態様では、ケーブル２の端部が、遮蔽シェル１０の下端部の方向に向かって、遮蔽シェル１０に挿入されて案内され、これにより、ケーブル２のケーブル外装の一方の端部領域も、遮蔽シェル１０の内部にまで突入するようになっている。この変化態様は、これにより同時に引っ張り力の軽減も得られている、という利点を有している。
【００２２】
遮蔽シェル１０にケーブル２が直接に固定されているのではなく、ケーブル２の遮蔽メッシュ７がプレス嵌めで固定されている、図５に示した変化態様では更に、後の差込みコネクタ１の機械的な安定性を得るために、付加的な対策を講じることが必要とされている。この機械的な安定性は、種々様々な方法で得ることができる。例えば図６には、遮蔽シェル１０の内側領域が、ケーブル２の端部領域の一部を覆って係合するように、ホットメルト接着剤１５を有していることが示されている。このようなホットメルト接着剤１５は、一方では遮蔽シェル１０内に残されている中空室を満たし延いては媒体密な（媒体に対してシールされた）結合が得られる、という利点を有している。媒体密な結合は、差込みコネクタ１の内部領域内の金属部品間への、水や汚染粒子等の侵入を阻止する。更に、遮蔽メッシュ７の領域及びケーブル２（より正確にはケーブル２のケーブル外装）の端部領域にも存在しているホットメルト接着剤１５によって、長手方向での防水性が得られるだけでなく、機械的な、好適には最初の安定性も得られる。それというのも、通常、図５に示した様な形態の遮蔽メッシュ７は、差込みコネクタ１の作動に必要とされる機械的な安定性を、未だ有してはいないからである。この安定性は、図６に示したようなホットメルト接着剤１５により、初めて得られる。図６に示したホットメルト接着剤１５により得られた機械的な安定性が未だ十分ではないか、又はホットメルト接着剤１５がケーブル２の端部領域を越えてはいない場合は、択一的又は補足的に、図７に示す外装射出成形部１６が設けられてよい。或いはこの外装射出成形部１６は、遮蔽シェル１０の内部空間内にまでも到達して、この内部空間を満たすと同時に、差込みコネクタ１のアウタケーシングを形成するように構成される。このような場合は、ホットメルト接着剤１５を省くことができる。しかしながら、ホットメルト接着剤１５が長手方向での防水性を実現するために付与されている場合、ホットメルト接着剤１５は付加的に、外装射出成形部１６によって特に有利な形式で取り囲まれてよい。なぜならば、ホットメルト接着剤１５（又は関与する材料間の媒体密な結合が得られる同様の材料）により、長手方向での防水性が達成され、機械的な安定性は、外装射出成形部１６によって初めて得られるか、又はホットメルト接着剤１５との協働において高められるからである。
【００２３】
図８〜図１３には、本発明による差込みコネクタ１の、本発明による別の重要な構成が示されており、この差込みコネクタ１の主要要素、機能及び製造は、図１〜図７に示した差込みコネクタ１に基づいている。
【００２４】
図８では、遮蔽シェルがその上部の円筒形の領域の、差込み面側の開口とは反対の側の端面に、開口１７を有していることが認識可能である。この開口１７は、遮蔽シェル１０に設けられた、外側に向かってやや湾曲された隆起部に配置されている。この開口１７を介して、遮蔽シェル１０の内部に（及び場合によっては遮蔽スリーブ９の内部にも）ホットメルト接着剤等の充填材料を充填することができる。この場合、開口１７の直径は、一方では所望量の充填材料を許容可能な時間内で内部に送ると同時に、高周波シールが保証されていることを保障するために、十分な大きさであるように選択されている。開口１７の直径は、遮蔽シェル１０の円筒形部分の全直径を基準としていて、この円筒形部分の全直径よりも著しく小さい。更に、遮蔽シェル１０は、対向して位置する２つの段部１８を有していて、これらの段部１８は、遮蔽シェル１０の円筒形部分の長手方向軸線の下方に設けられている。更に、遮蔽シェル１０内には係止突起１９が設けられていて、この係止突起１９は開口２０の領域内に配置されている。係止突起１９により、遮蔽シェル１０は、遮蔽スリーブ９（図９参照）に係止するようにして結合可能である。このために遮蔽スリーブ９は切欠き２１を有しており、この場合、遮蔽スリーブ９が遮蔽シェル１０に同軸的に挿入されると、切欠き２１の縁部が、遮蔽シェル１０の段部１８に接触するようになっている。その際に、係止突起１９と、遮蔽スリーブ９の開口２２も作用接続するようになっていて、これにより、遮蔽スリーブ９が、遮蔽シェル１０に係止されて固定される。この取付け状態は、図１０及び図１１に示されている。図１０には、遮蔽スリーブ９及び遮蔽シェル１０の内部が未だ充填材料で満たされていない状態（しかし充填可能な状態）が示されているのに対して、図１１の左側の図面には、遮蔽スリーブ９及び遮蔽シェル１０の内部が外装射出成形部１６で満たされており且つ／又は遮蔽スリーブ９及び遮蔽シェル１０の外部が外装射出成形部１６によって取り囲まれている状態が示されている。図１１の右側の図面に示したリング２３は、設けられていてよいが、必須ではない。このリング２３もやはり、ホットメルト接着剤又は外装射出成形部等によって形成されていてよく、長手方向での防水性を実現するために、リング２３内に位置する、例えばコンタクト支持体３やコンタクトパートナー８等の部材を取り囲んでいる。最後に図１２には、完成した差込みコネクタ１が断面図で示されており、この場合、外装射出成形部１６は、ケーシングを形成する別の外装射出成形部２４によって取り囲まれている。ホットメルト接着剤１５、外装射出成形部１６及び外装射出成形部２４は、連続する方法ステップで製造され且つ同一の又は異なる材料から成っていてよい。この場合、３つ全ての材料を使用する必要はなく、場合によっては、ケーシングを形成する外装射出成形部１６又は外装射出成形部２４だけを（例えばこの場合はホットメルト接着剤１５無しで）設けても十分である、ということが云える。
【００２５】
図１３には再度、図４又は図８に示した遮蔽シェル１０の構成が詳細に示されている。この場合、遮蔽シェル１０は、開口を全く有していないか、又は開口１７を有しているかのいずれかである。両変化態様では、遮蔽スリーブ９を位置固定するために、遮蔽シェル１０にそれぞれ段部１８が設けられており、この場合、２つの段部１８が対向して位置するように、遮蔽シェル１０内に位置している。２つの段部１８が位置する平面は、遮蔽シェル１０の円筒形の上側部分若しくは遮蔽スリーブ９の、長手方向軸線が延びている平面以外に位置している。これにより、遮蔽スリーブ９は、その切欠き２１の長手方向縁部でもって両段部１８に接触するようになっていることが保障されていて、遮蔽シェル１０内に相対回動不能に配置されることになる。更に、遮蔽スリーブ９を遮蔽シェル１０内に相対回動不能に支持する、別の形態も考えられる。最後に図１３では更に、遮蔽シェル１０がその下向きの端部領域に、即ちスリット１３の領域に、表面隆起部を有していることが詳細に認識される。この表面構造によって、好適には軸方向で下方に向かう方向に見て（交互に設けられた）隆起部と凹部とによって、遮蔽メッシュ７のために、より大きな表面積、延いてはこれに伴ってより大きな接触確実性が実現される、ということが保障される。
【００２６】
図１４の上部には、完成した差込みコネクタ１が立体的に示されている。下部左側の図面には、差込みコネクタ１の差込み面を上から見た図が示されており、下部右側の図面には、差込みコネクタ１の断面図が再度示されている。
【００２７】
以下に、図面で見て下向きの、遮蔽シェルの円筒形部分に対する遮蔽メッシュ７の結合に関して説明する。一方では、遮蔽メッシュ７は、遮蔽シェル１０の円筒形部分の内側に配置することができる。この場合、複数の電気的な導体６は、１つの共通の外装により取り囲まれており、この外装もやはり、遮蔽メッシュ７によって取り囲まれていることが考えられる。この場合、遮蔽メッシュ７は（外装を除去した後の）電気的な導体６に支持され、且つ／又は遮蔽シェル１０の円筒形部分が遮蔽メッシュ７を覆うように配置されてからプレス嵌めで固定される場合は、遮蔽メッシュ７がケーブル２の外装に支持されてよい。このことは、遮蔽シェル１０が圧縮可能に構成されており且つ圧縮可能な材料から成っていて、これによりスリット１３が縮小するようになっていることを前提としている。これに対して補足的又は択一的に、遮蔽メッシュ７全体を、遮蔽シェル１０の下向きの円筒形の端部領域の外側表面上に配置するか、又は遮蔽メッシュ７を部分的に前記外側表面の内側に配置し且つ部分的に前記外側表面の外側に配置することが考えられる。特に好適なのは、遮蔽メッシュ７を、より正確には遮蔽メッシュ７の端部を、遮蔽シェル１０の下側の端部領域の外側表面上に配置することである。この場合、遮蔽シェル１０は、遮蔽メッシュ７がプレス嵌めで遮蔽シェル１０に固定される場合に、遮蔽シェル１０が遮蔽メッシュ７の押し当てに際して、若しくはクリンプスリーブ１１の被せ嵌め及び圧着に際して、変形されないように（若しくは僅かにしか変形されないように）構成されており且つこのような材料から成っていて、これにより、遮蔽シェル１０は、プレス嵌めを実現するために、安定的な反力を提供している。プレス嵌めに対して択一的又は補足的に、遮蔽メッシュ７を、別の方法及び／又は手段によって、遮蔽シェル１０の内側及び／又は外側に固定して、電気的に接触接続することも考えられる。この場合、例えば溶接、かしめ、（導電性の接着剤による）接着等が考慮される。
【符号の説明】
【００２８】
１  差込みコネクタ
２  ケーブル
３  コンタクト支持体
４  ローレット目付きナット
５  遮蔽ケーシング
６  電気的な導体
７  遮蔽メッシュ
８  コンタクトパートナー
９  遮蔽スリーブ
１０  遮蔽シェル
１１  クリンプスリーブ
１２  開口
１３  スリット
１４  突出部
１５  ホットメルト接着剤
１６  外装射出成形部
１７  開口
１８  段部
１９  係止突起
２０  開口
２１  切欠き
２２  開口
２３  リング
２４  外装射出成形部
２５  シール
【図１】
2014535144.tif 000003
【図２】
2014535144.tif 000004
【図３】
2014535144.tif 000005
【図４】
2014535144.tif 000006
【図５】
2014535144.tif 000007
【図６】
2014535144.tif 000008
【図７】
2014535144.tif 000009
【図８】
2014535144.tif 000010
【図９】
2014535144.tif 000011
【図１０】
2014535144.tif 000012
【図１１】
2014535144.tif 000013
【図１２】
2014535144.tif 000014
【図１３】
2014535144.tif 000015
【図１４】
2014535144.tif 000016
【国際調査報告】
2014535144.tif 000017
2014535144.tif 000018
2014535144.tif 000019
2014535144.tif 000020
2014535144.tif 000021
2014535144.tif 000022